(57)【要約】【課題】  開閉式のＬＣＤを具備する画像通信装置において、上記ＬＣＤを閉じた状態でも、ＦＡＸ受信した内容を、視覚的に確認することができる画像通信装置を提供することを目的とするものである。【解決手段】  開閉式のディスプレイＦＡＸにおいて、ＬＣＤ使用時には、ＦＡＸ受信した内容をディスプレイに表示するように制御し、一方、ＬＣＤ未使用時の閉じた状態では、ＦＡＸ受信した内容をその受信時に印刷するように制御する等、ＬＣＤ開時と閉時とで、データ受信後の処理を変更する画像通信装置である。【選択図】  図１
2005079934.tif 000002
【特許請求の範囲】
【請求項１】
画像を読み取る画像読取手段と；
上記画像読取手段が読み取った画像を送信する画像送信手段と；
相手の画像通信装置から画像を受信する画像受信手段と；
受信画像を表示するディスプレイと；
上記ディスプレイを開閉するディスプレイ開閉手段と；
上記ディスプレイの開閉状態を検出する開閉状態検出センサと；
上記開閉状態検出センサが検出した情報に応じて、画像、電子メール受信時の動作を変更する動作変更手段と；
を有することを特徴とする画像通信装置。
【請求項２】
請求項１において、
受信画像を印刷する印刷手段を有し、
上記動作変更手段は、上記ディスプレイが開いている場合には、画像を受信した後に内部に記憶した画像を、上記ディスプレイに表示する動作を実行し、一方、上記ディスプレイが閉じている場合には、受信した画像を上記印刷手段で印刷する動作を実行するように、動作を変更する手段であることを特徴とする画像通信装置。
【発明の詳細な説明】
【技術分野】
【０００１】
本発明は、内蔵メモリに受信データを蓄積することができる画像通信装置に関するものである。
【背景技術】
【０００２】
従来の画像通信装置の初期の段階では、画像を受信すると同時に、記録紙に印刷していた。しかし、半導体デバイスの発達に伴い、画像通信装置の内部に比較的大容量のメモリを搭載することが可能になってからは、画像データをメモリに一旦、保存し、任意に印刷を行うようになった。また、画像通信装置自体の多機能化に伴い、付属ＬＣＤの大型化が進み、ＬＣＤ上で受信データを確認することができ、また、電話回線を通じてダウンロードされたメールやホームページ情報を表示することができる（たとえば、特許文献１参照）。
【特許文献１】特開２００３−１０１７１１号公報
【発明の開示】
【発明が解決しようとする課題】
【０００３】
開閉式のＬＣＤを具備する画像通信装置において、ＬＣＤの大型化に伴い、ＬＣＤの未使用時には、そのＬＣＤを閉じたいという欲求が高まっている。開閉式のＬＣＤを導入すると、ＬＣＤを閉じた状態では、ＬＣＤに表示される内容を視認することができず、また、ＦＡＸ受信した内容等をＬＣＤに表示することによって確認することができず、不便であるという問題がある。
【０００４】
本発明は、開閉式のＬＣＤを具備する画像通信装置において、上記ＬＣＤを閉じた状態でも、ＦＡＸ受信した内容を、視覚的に確認することができる画像通信装置を提供することを目的とするものである。
【課題を解決するための手段】
【０００５】
本発明では、開閉式のディスプレイＦＡＸにおいて、ＬＣＤ使用時には、ＦＡＸ受信した内容をディスプレイに表示し、ＬＣＤ未使用時の閉じた状態では、ＦＡＸ受信した内容をその受信時に印刷する等、ＬＣＤ開時と閉時とで、データ受信後の処理を変更する画像通信装置である。
【発明の効果】
【０００６】
本発明によれば、開閉式のＬＣＤを具備する画像通信装置において、上記ＬＣＤを閉じた状態でも、ＦＡＸ受信した内容を、視覚的に確認することができるという効果を奏する。
【発明を実施するための最良の形態】
【０００７】
発明を実施例するための最良の形態は、以下の実施例である。
【実施例１】
【０００８】
図１は、本発明の実施例１である画像通信装置１００の内部構成を示す図である。
【０００９】
画像通信装置１００は、ＣＰＵ１と、ＲＯＭ２と、ＲＡＭ３と、ＡＳＩＣ４と、クロスポイントスイッチＩＣ５と、ＮＣＵ６と、モデム７と、ＬＣＤ開閉センサ８と、ハンドセット９と、キー操作のパネル１０と、ＣＩＳ（Ｃｏｎｔａｃｔ  Ｉｍａｇｅ  Ｓｅｎｓｏｒ）１１と、プリンタ１２と、ＬＣＤ１３と、ＬＣＤコントローラ１４とを有する。
【００１０】
ＣＰＵ１は、ＲＯＭ２に格納されたプログラムに従って、画像通信装置の制御を行う。ＲＡＭ３は、プログラム実行時のワークメモリとして使用すると共に、送受信する画像データのバッファリングにも使用される。
【００１１】
ＡＳＩＣ４は、画像通信装置用のＡＳＩＣである。クロスポイントスイッチＩＣ５は、ＮＣＵ６、ＡＳＩＣ４、ハンドセット９、モデム７の間における切り替えを行うスイッチである。
【００１２】
モデム７は、デジタル信号を変調し、アナログ回線を電送できる音声帯域のアナログ信号に変換し、ＦＡＸ受信時には、受信したアナログ信号を復調し、デジタル信号に変換した後に、ＭＨ符号化データを出力する。ＭＨ符号化／復号化は、ＣＰＵ１でソフト的に処理している。
【００１３】
ＬＣＤ開閉センサ８は、ＬＣＤが開いているか閉まっているかを示す情報を、ＡＳＩＣ４を通じて、ＣＰＵ１に送る。ハンドセット９は、音声を入力する。キー操作のパネル１０は、画像通信装置１００を操作するボタンやＬＥＤを有する。
【００１４】
ＣＩＳ（Ｃｏｎｔａｃｔ  Ｉｍａｇｅ  Ｓｅｎｓｏｒ）１１は、原稿の画像をデジタル信号に変換する。デジタル信号は、モデム７によって、アナログ信号に変換され、ＣＰＵ１の制御によってＦＡＸ送信される。プリンタ１２は、受信した画像データを記録紙に印刷する。
【００１５】
ＬＣＤ１３は、ＬＣＤコントローラ１４を介して、ＣＰＵ１が制御し、電話回線等を介してダウンロードされたメールやホームページ情報を、表示し、また、受信画像、受信通知等を表示するものであり、ディスプレイの例である。
【００１６】
図２は、上記実施例において、ＬＣＤ開閉式の画像通信装置１００の概略を示す図である。
【００１７】
図２（ａ）は、ＬＣＤ１３を閉じた場合における画像通信装置１００を示す平面図である。図２（ｂ）は、ＬＣＤ１３を開いた場合における画像通信装置１００を示す平面図である。
【００１８】
次に、画像通信装置１００が他の画像通信装置からデータを受信したときにおける画像通信装置１００の動作について説明する。
【００１９】
図３は、画像通信装置１００が他の画像通信装置からデータを受信したときにおける画像通信装置１００の動作を示すフローチャートである。
【００２０】
まず、電話通信回線から入力されるＣＩ（Ｃａｌｌｉｎｇ  Ｉｎｄｉｃａｔｏｒ）信号を検出すると（Ｓ１）、画像通信装置１００は、呼出音を鳴動する。鳴動した呼出音に対して使用者がオフフック操作を行うと、通信回線を閉結し、相手の画像通信装置との間での通話路を確立する。具体的には、ＮＣＵ６内のリレーを切り替え、クロスポイントスイッチＩＣ５、ハンドセット９を介して、相手の画像通信装置との間で音声信号の送受信を行うことができる状態にする。
【００２１】
続いて、相手の画像通信装置がＦＡＸ画像送信のためのＣＮＧ信号を送信し、ＣＮＧ信号の１００Ｈｚトーンを聞いた使用者が、ＦＡＸ受信キーを押下すると、ＣＰＵ１はクロスポイントスイッチＩＣ５の接続を切り替え、モデム７を介して、相手の画像通信装置との間で音声信号の送受信を行うことができる状態にする。
【００２２】
ＣＰＵ１は、モデム７を制御し、受信したＣＮＧ信号に対する応答信号であるＣＥＤ信号を送信し、以下、ＩＴＵ−Ｔ勧告Ｔ．３０で定められる手順に従って、画像送信前に必要な情報を交換する。続いて、相手の画像通信装置から画像信号を受信すると、受信した画像信号をモデム７で復調する。復調されたデータは、ＭＨ等の所定の符号化方式によって圧縮されているので、ＣＰＵ１が復号化処理を施し、この復号化処理されたデータをＲＡＭ３に格納する（Ｓ２）。
【００２３】
ここで、ＣＰＵ１は、ＡＳＩＣ４を介してＬＣＤ開閉センサ８の情報を読み取り、ＬＣＤ１３が開いているか閉まっているかを判断し（Ｓ３）、その後の処理を変更する。
【００２４】
つまり、ＬＣＤ１３が閉じているときに、メモリに格納されたデータをプリントに記録できる形式のデータに変換し、変換したデータをプリンタに転送し、記録紙に印刷し（Ｓ６）、その後、スタンバイ状態に戻る（Ｓ７）。
【００２５】
ＬＣＤ１３が開いていれば、ＲＡＭ３に受信画像データを保存し、ＬＣＤ１３に、ＦＡＸ受信の内容を表示させる（Ｓ４）。その後に、受信データを印刷したければ、パネル１０からキー操作によって、ＲＡＭ３に記憶されている画像データを、ＡＳＩＣ４へ送り、プリンタ１２が印刷し（Ｓ５、Ｓ６）、その後に、スタンバイ状態に戻る（Ｓ７）。
【実施例２】
【００２６】
上記実施例１では、ディスプレイ閉時において、受信画像をＲＡＭに格納した後に印刷するように設定してあるが、実施例２は、受信画像をＲＡＭ３に格納せず、画像受信と同時に印刷を行う実施例である。
【図面の簡単な説明】
【００２７】
【図１】本発明の実施例１である画像通信装置１００の内部構成を示す図である。
【図２】上記実施例において、ＬＣＤ開閉式の画像通信装置１００の概略を示す図である。
【図３】画像通信装置１００が他の画像通信装置からデータを受信したときにおける画像通信装置１００の動作を示すフローチャートである。
【符号の説明】
【００２８】
１００…画像通信装置、
１…ＣＰＵ、
２…ＲＯＭ、
３…ＲＡＭ、
４…ＡＳＩＣ、
５…クロスポイントスイッチＩＣ、
６…ＮＣＵ、
７…モデム、
８…ＬＣＤ開閉センサ、
９…ハンドセット、
１０…キー操作のパネル、
１１…ＣＩＳ、
１２…プリンタ、
１３…ＬＣＤ、
１４…ＬＣＤコントローラ。
【図１】
2005079934.tif 000003
【図２】
2005079934.tif 000004
【図３】
2005079934.tif 000005